(57)【特許請求の範囲】
【請求項１】
前記釣銭機の略垂直上方に位置し、顧客が購入する商品に付されたコード情報を読み取るスキャナ部と、
前記スキャナ部をレジ操作可能な初期位置と前記釣銭機の上蓋を開ける際に障害にならない退避位置との間で移動させる移動機構と、
を備えることを特徴とするタワー型ＰＯＳレジスタ。
【請求項２】
前記釣銭機は、前記顧客に手渡す釣銭を払いだす釣銭機であって、エラー発生信号およびエラー解消信号を出力し、
前記釣銭機からエラー発生信号が出力された場合に前記スキャナ部が前記退避位置へ移動し、前記釣銭機からエラー解消信号が出力された場合に前記スキャナ部が前記初期位置へ復帰するよう、前記スキャナ部の移動を制御する制御部と、
を備えることを特徴とする請求項１に記載のタワー型ＰＯＳレジスタ。
【請求項３】
前記スキャナ部を前記退避位置への移動が可能な状態または前記初期位置からの移動を禁止する状態とする機構部を備え、
前記制御部は、前記釣銭機からエラー発生信号が出力された場合に前記機構部により前記スキャナ部を前記移動可能状態とし、前記釣銭機からエラー解消信号が出力された場合に前記機構部により前記スキャナ部を前記移動禁止状態とすることを特徴とする請求項２に記載のタワー型ＰＯＳレジスタ。
【請求項４】
前記釣銭機からエラー発生信号が出力された場合に退避ボタンを表示し、前記釣銭機からエラー解消信号が出力された場合に復帰ボタンを表示する表示手段を備え、
前記制御部は、前記退避ボタンが操作された場合に前記スキャナ部が前記退避位置へ移動し、前記復帰ボタンが操作された場合に前記スキャナ部が前記初期位置へ復帰するよう、前記スキャナ部の移動を制御することを特徴とする請求項２または請求項３に記載のタワー型ＰＯＳレジスタ。
【請求項５】
前記スキャナ部の側方にレシートを印字する印字部を備え、
前記印字部は、前記スキャナ部と共に移動することを特徴とする請求項１から請求項４のいずれかに記載のタワー型ＰＯＳレジスタ。
【発明の詳細な説明】
【技術分野】
【０００１】
本発明は、タワー型ＰＯＳレジスタに関する。
【背景技術】
【０００２】
従来のタワー型ＰＯＳレジスタ（縦一体型）に配置させる釣銭機とスキャナ部は、オペレータの操作性と作業効率とを考慮してその配置が決められる。前記釣銭機は、顧客からの預かり金の受け取りや顧客への釣銭の手渡しを考慮して、その配置が決められており、具体的には、オペレータの作業効率の観点から、釣銭機の配置は、タワー型ＰＯＳレジスタを操作するオペレータの正面位置で、かつ表示部、操作部、スキャナ部等の下方に位置するのが良い。また、釣銭機の配置は、ＰＯＳレジスタのカウンタ台の上部に配置させることで、オペレータは、金銭授受の操作性が良くなり、その結果、客捌きが良くなる。
【０００３】
また、タワー型ＰＯＳレジスタに備えるスキャナ部は、商品に付されたバーコードを効率良く、かつ正しく読み取る必要があるため、オペレータがスキャン操作しやすく、バーコードを正しく読み取る高さおよび位置に配置させる必要がある。そのため、タワー型ＰＯＳレジスタに配置させるスキャナ部は釣銭機の上方に配置させることになる。
【先行技術文献】
【特許文献】
【０００４】
【特許文献１】実開昭６１−１８０３５０号公報
【発明の概要】
【発明が解決しようとする課題】
【０００５】
従って、前記タワー型ＰＯＳレジスタ（縦一体型）において、オペレータの操作性と作業効率を考慮して釣銭機とスキャナ部を配置させると、釣銭機の略垂直上方にスキャナ部を近接させて配置させることになる。しかしながら、前記釣銭機で貨幣詰まり等の不具合が生じた場合は、オペレータが前記釣銭機をオペレータ側へ略水平に引き出してから釣銭機の上蓋を開け、当該釣銭機内に詰まった貨幣を取り除く作業（メンテナンス）を行なわなければならない。その場合、開けた上蓋が前記スキャナ部にぶつかり破損させてしまうという問題があった。また、釣銭機の略垂直上方にスキャナ部を近接させて配置したので、釣銭機をオペレータ側へ略水平に引き出すその距離は、当該釣銭機の上蓋を確実に開けられる距離分引き出す必要があり、釣銭機をオペレータ側へ略水平に引き出す距離が不十分であった場合は、スキャナ部が邪魔で釣銭機の蓋が開けられないという問題があった。また、釣銭機の入出金時に硬貨や紙幣を搬送する搬送路を定期的に清掃するなどのメンテナンスを行う際にも、前記問題によりスキャナ部が邪魔になる。
さらに、釣銭機の上蓋を確実に開けるためには、前記釣銭機が略水平に引き出される距離分の空間をオペレータ側の作業空間に追加し、当該作業空間を予め設けておく必要があるので、オペレータの作業空間を広く確保するため、ＰＯＳレジスタの設置できる台数を減少させてしまうという問題があった。そのため、タワー型ＰＯＳレジスタで使用するスキャナ部を釣銭機の略垂直上方に近接させて配置させることは困難であった。
【０００６】
そこで本発明は、上記２つの問題に鑑みてなされたものであり、スキャナ部を釣銭機の略垂直上方に近接させて配置しても、スキャナ部が邪魔にならず、オペレータの作業空間を余計に広げることなく、釣銭機を容易にメンテナンスできるタワー型ＰＯＳレジスタを提供することを課題とする。
【課題を解決するための手段】
【０００７】
本発明は、上記の課題を解決するために、以下［１］−［５］を提供するものである。
［１］釣銭を払いだす釣銭機と、前記釣銭機の略垂直上方に位置し、顧客が購入する商品に付されたコード情報を読み取るスキャナ部と、前記スキャナ部をレジ操作可能な初期位置と前記釣銭機の上蓋を開ける際に障害にならない退避位置との間で移動させる移動機構と、を備えることを特徴とするタワー型ＰＯＳレジスタ。
第１の発明によれば、スキャナ部を釣銭機の略垂直上方に近接配置させても、スキャナ部をレジ操作可能な初期位置と前記釣銭機の上蓋を開ける際に障害にならない退避位置との間で移動させる移動機構により、スキャナ部を初期位置と退避位置に自在に移動させることができる。これによって、前記釣銭機をオペレータ側へ略水平に引き出す距離を短くすることができ、釣銭機の開けた蓋がスキャナ部にぶつからず、オペレータの作業空間を無駄に広げることなく容易に釣銭機の蓋を開けることができる。
【０００８】
［２］前記釣銭機は、前記顧客に手渡す釣銭を払いだす釣銭機であって、エラー発生信号およびエラー解消信号を出力し、前記釣銭機からエラー発生信号が出力された場合に前記スキャナ部が前記退避位置へ移動し、前記釣銭機からエラー解消信号が出力された場合に前記スキャナ部が前記初期位置へ復帰するよう、前記スキャナ部の移動を制御する制御部と、を備えることを特徴とする上記[１]に記載のタワー型ＰＯＳレジスタ。
第２の発明によれば、釣銭機に不具合が発生した場合にスキャナ部が後方に退避するようスキャナ部の移動を制御することができるので、オペレータは、スキャナ部の移動操作を間違えることがない。また、前記釣銭機をオペレータ側へ略水平に引き出す距離を短くすることができ、釣銭機の開けた蓋がスキャナ部にぶつからず、オペレータの作業空間を無駄に広げることなく容易に釣銭機の蓋を開けることができ、釣銭機の不具合が解消した場合には、スキャナ部が元の位置に戻るようスキャナ部の移動を制御することができる。
【０００９】
［３］前記スキャナ部を前記退避位置への移動が可能な状態または前記初期位置からの移動を禁止する状態とする機構部を備え、前記制御部は、前記釣銭機からエラー発生信号が出力された場合に前記機構部により前記スキャナ部を前記移動可能状態とし、前記釣銭機からエラー解消信号が出力された場合に前記機構部により前記スキャナ部を前記移動禁止状態とすることを特徴とする上記[２]に記載のＰＯＳレジスタ。
第３の発明によれば、オペレータが会計操作あるいはスキャン操作時等にスキャナ部に触れることによって不用意にスキャナ部が動いてしまうことを避けることができる。
【００１０】
［４］前記釣銭機からエラー発生信号が出力された場合に退避ボタンを表示し、前記釣銭機からエラー解消信号が出力された場合に復帰ボタンを表示する表示手段を備え、前記制御部は、前記退避ボタンが操作された場合に前記スキャナ部が前記退避位置へ移動し、前記復帰ボタンが操作された場合に前記スキャナ部が前記初期位置へ復帰するよう、前記スキャナ部の移動を制御することを特徴とする上記[２]または上記[３]に記載のＰＯＳレジスタ。
第４の発明によれば、オペレータが表示部に表示された退避ボタンを操作することによりスキャナ部が退避位置へ移動するようスキャナ部の移動を制御することができる。また、オペレータは復帰ボタンを押すことにより、スキャナ部が初期位置へ復帰するようスキャナ部の移動を制御することができる。
【００１１】
［５］前記スキャナ部の側方にレシートを印字する印字部を備え、前記印字部は、前記スキャナ部と共に移動することを特徴とする上記[１]から上記[４]のいずれかに記載のＰＯＳレジスタ。
第５の発明によれば、印字部もスキャナ部と共に移動することより、釣銭機の上蓋を開ける際に開けた上蓋が印字部にぶつからず、容易に釣銭機の蓋を開けることができる。
【発明の効果】
【００１２】
本発明によれば、スキャナ部を釣銭機の略垂直上方に近接させて配置しても、スキャナ部が邪魔にならず、釣銭機を引き出す距離を短くし、オペレータの作業空間を余計に広げることなく釣銭機を容易にメンテナンスすることができる。
【図面の簡単な説明】
【００１３】
【図１】本発明の実施形態による、タワー型ＰＯＳレジスタの外観構造を示す斜視図である。
【図２】本実施形態におけるタワー型ＰＯＳレジスタの電気的なブロック構成図である。
【図３】本実施形態における固定スキャナ部の設置形態について説明する図である。
【図４】本実施形態における固定スキャナ部の移動方法について説明する図である。
【図５】固定スキャナ部の退避位置に移動する処理の流れについて説明するためのフローチャートである。
【図６】固定スキャナ部を手動で初期位置に復帰する処理の流れについて説明するためのフローチャートである。
【図７】固定スキャナ部を半手動で初期位置に復帰する処理の流れについて説明するためのフローチャートである。
【図８】固定スキャナ部を全自動で初期位置に復帰する処理の流れについて説明するためのフローチャートである。
【発明を実施するための形態】
【００１４】
以下、本発明を実施するための形態について、図面を参照して詳細に説明する。図１は、本発明の実施形態における、タワー型ＰＯＳレジスタの外観構造を示す斜視図である。図１において、タワー型ＰＯＳレジスタ１は、カウンタ台１５の中央部の奥側に設けられている。タッチパネル付表示部２は、表示部とタッチパネルとからなる液晶タッチパネルであり、タワー部１の最上位に位置する。該タッチパネル付表示部２は、プリセットキーを有し、商品登録した商品に関する情報（商品名称や値段など）、買い上げ点数及び合計金額などを表示する。
【００１５】
入力部３は、タッチパネル付表示部２の下側に設けられている。該入力部３には、テンキー、預／現計キー、小計キー、取消キーなど、頻繁に操作されるキーが設けられている。固定スキャナ部４は、商品に付されているバーコード（商品コード）の読取部であり、入力部３の下側に設けられている。また、タワー部１の右側面には、店員がレジ台へ持ち上げられない重たい商品や大型商品などに付されているバーコード（商品コード）を店員が手操作で読み取らせるウォンドスキャナ部５が配置されている。印字部６は、固定スキャナ部４の左側に位置し、顧客へ手渡すレシート等を発行する。
【００１６】
自動釣銭釣札機７は、固定スキャナ部４と印字部６の下側に設けられており、硬貨出金口７−１、硬貨入金口７−２、紙幣入出金口７−３からなり、硬貨、紙幣を扱う。硬貨出金口７−１は、前面左側に配置され、凹部から硬貨の釣銭が排出される。硬貨入金口７−２は、前面中央部に配置され、凹部から硬貨が投入される。紙幣入出金口７−３は、前面右側に配置され、紙幣が水平に投入／排出される。
【００１７】
図２は、本実施形態におけるタワー型ＰＯＳレジスタの電気的なブロック構成図である。
タワー型ＰＯＳレジスタ１は、ＣＰＵ（Ｃｅｎｔｒａｌ  Ｐｒｏｃｅｓｓｉｎｇ  Ｕｎｉｔ、制御部）２１と、タッチパネル付表示部２と、入力部３と、固定スキャナ部４と、ウォンドスキャナ部５と、印字部６と、自動釣銭釣札機７と、フォトセンサ部２２と、ＲＯＭ（Ｒｅａｄ  Ｏｎｌｙ  Ｍｅｍｏｒｙ）２３と、ＲＡＭ（Ｒａｎｄｏｍ  Ａｃｃｅｓｓ  Ｍｅｍｏｒｙ）２４と、電磁ソレノイド３２と、板金３３と、移動レール３４と、を有している。また、電磁ソレノイド３２と板金３３を合わせて、機構部と称す。
【００１８】
ＣＰＵ２１と、タッチパネル付表字部２と、入力部３と、固定スキャナ部４と、ウォンドスキャナ部５と、印字部６と、自動釣銭釣札機７と、フォトセンサ部２２と、ＲＯＭ２２と、ＲＡＭ２４と、電磁ソレノイド３２と、移動レール３４とはバスを介して接続されており、相互に通信可能である。
【００１９】
ＣＰＵ２１は、ＲＯＭ２３に記憶されているプログラムを読み出して実行することにより、タワー型ＰＯＳレジスタ１の動作を制御する。
ＲＯＭ２３は、ＣＰＵ２１によって実行される制御プログラムやタッチパネル付表示部１４に表示させるＧＵＩ（Ｇｒａｐｈｉｃａｌ  Ｕｓｅｒ  Ｉｎｔｅｒｆａｃｅ）データ等を記憶する。
ＲＡＭ２４は、顧客が購入する商品の商品ファイル（部門、バーコード情報、商品名称、産地・メーカー名、値段など）、会員ファイル（会員コード、顧客名称及び特典など）、顧客が購入する商品の買い上げデータ（商品明細、買い上げ点数及び合計金額など）、前記買い上げデータを集計し売上情報として記憶する実績ファイルなどを保存記憶するメモリである。
【００２０】
固定スキャナ部４は、顧客が購入する商品に付されたバーコード情報を読み取り、そのバーコード情報をＣＰＵ２１に出力する。本実施形態における固定スキャナ部４の設置形態について、図３を用いて説明する。固定スキャナ部４は、固定スキャナ部４の上方よりアームが突出しており、該アーム先端には回動可能なローラーが組付けられている。そして該固定スキャナ部４の上方に位置し、当該固定スキャナ部４が有するローラーと噛合い摺動可能な移動レール３４を壁面に備えたスキャナ吊下台３１を配置させている。前記固定スキャナ部４は、前記移動レール３４と噛合うローラーにより、オペレータと対面する前後方向（図３の固定スキャナ部の移動方向３５を参照）へ移動させることができる。なお、固定スキャナ部４の移動は、手動及び機械的な制御の何れであってもよく、ＣＰＵ２１の判定により、固定スキャナ部４を移動させる。
【００２１】
次に、本実施形態におけるスキャナ部の移動方法について、図４を用いて説明する。固定スキャナ部４を吊り下げるスキャナ吊下台３１の内部に、板金３３が付いた二つの電磁ソレノイド３２が取り付けられている。固定スキャナ部４と接する壁面に二つの穴が設けられており、ＣＰＵ２１は、前記電磁ソレノイド３２に電流を流すことにより、電磁ソレノイド３２の可動芯に結合した板金３３をスキャナ吊下台３１の穴から突出させる制御、或いは没入させる制御の何れかの制御を行なう。これによって、図４（ａ）に示すように、固定スキャナ部４をオペレータと対面する後方へ移動させたり、或いは、移動禁止にさせたりする。
図３と図４では図示されていない反射型のフォトセンサ部２２は、スキャナ吊下台３１に設置されており、固定スキャナ部４が初期位置に位置しているときに、固定スキャナ部４を感知することができる。
フォトセンサ部２２は、固定スキャナ部４が初期位置４１に存在するときに、初期位置に存在することを示す情報をＣＰＵ２１に出力する。
また、フォトセンサ部２２は、スキャナ部４が摺動可能な移動レール３４に沿って、後方の退避位置４２に移動し、スキャナ部４がスキャナ部の初期位置４１に存在していないことを示す情報をＣＰＵ２１に出力する。
【００２２】
このように、固定スキャナ部４を吊り下げるスキャナ吊下台３１の内部に電磁ソレノイド等により、板金３３が上下する仕組みが組み込まれており、図３に示すように、スキャナ部の後方上部側において、固定スキャナ部４のストッパーの役割を果たすことになる。
【００２３】
なお、図４（ｃ）に示すように、印字部６は、固定スキャナ部４と共に移動するようにしてもよい。その場合、オペレータは固定スキャナ部４を移動させると印字部６も初期位置４１から退避位置４２へ一緒に移動（以後、退避と称す）させることができる。これによって、自動釣銭釣札機７を引き出す距離を短くし、自動釣銭釣札機７の開けた上蓋（図は省略）が固定スキャナ部４または印字部６にぶつかるのを防ぐことができ、容易に自動釣銭釣札機７の蓋を開けメンテナンスを行うことができる。
【００２４】
自動釣銭釣札機７は、内部で硬貨や紙幣が詰まるなどの不具合が発生すると、ＣＰＵ２１にエラー信号（例えば、エラーステータス値：１）を出力する。
また、自動釣銭釣札機７は、内部で硬貨や紙幣が詰まるなどの不具合が解消すると、ＣＰＵ２１に正常信号（例えば、エラーステータス値：０）を出力する。
また、自動釣銭釣札機７は、ＣＰＵ２１から入力される問い合わせ信号に基づいて、エラー信号または正常信号（例えば、それぞれエラーステータス値１または０）を出力する。
また、自動釣銭釣札機７は載置台に載置されており、当該自動釣銭釣札機７が内部で硬貨や紙幣が詰まるなどの不具合が発生したとき、オペレータは載置台に載置された自動釣銭釣札機７を載置台とともにオペレータ方向手前へ引き出してメンテナンスを行う。
また、自動釣銭釣札機７は硬貨入金口７−２、紙幣入出金口７−３から入金された貨幣の入金情報をＣＰＵ２１に出力する。
また、自動釣銭釣札機７は、ＣＰＵ２１から入力された出金する紙幣および硬貨の種類と数に従って、紙幣および硬貨をそれぞれ紙幣入出金口７−３、硬貨出金口７−１から出金する。
【００２５】
次に、ＣＰＵ２１の会計処理について説明する。ＣＰＵ２１は、固定スキャナ部４またはウォンドスキャナ部５で読取られた商品に付されたコード情報に基づいて、該当する商品情報（商品名称や単価など）を呼出し、当該商品情報と入力部３から入力された顧客が購入する商品の個数とから、当該顧客の取引明細を集計し会計の合計金額を算出し、該取引明細と合計金額とをＲＡＭ２４に保存し、タッチパネル付表示部２と客側表示部へ表示する。
そして、ＣＰＵ２１は、自動釣銭釣札機７から入力された顧客から預かった預かり金（入金情報）と、ＲＡＭ２４より読み出した一取引の合計金額から、当該顧客のお釣りを計算する。次に、ＣＰＵ２１は、入力部３の現計キーが押されると、前記計算したお釣りの金額から、硬貨出金口７−１、紙幣入出金口７−３より出金し顧客へ手渡すための紙幣および硬貨（釣銭）の種類と数（以下、問い合わせ信号と称す）を自動釣銭釣札機７へ出力する。
それから、ＣＰＵ２１は、自動釣銭釣札機７から顧客へ手渡すための釣銭が正しく出金されると、ＲＡＭ２４に記憶する当該顧客の買い上げ明細、一取引の合計金額、当該顧客からの預かり金、顧客へ手渡した釣銭金額等を印字部６によりレシート印字し発行した後、当該顧客の取引情報を当日の実績データとしてＲＡＭ２４の実績ファイルエリアに記憶する。
【００２６】
次に、本発明における実施例を以下の通り説明する。
ＣＰＵ２１は、以下に示す３つの実施方法（それぞれ、手動、半自動、全自動と称す）で固定スキャナ部４を移動するよう制御する。実施例１（手動）とは、オペレータが手動で固定スキャナ部４を移動させ、固定スキャナ部４を退避位置４２から初期位置４１に移動する（以下、復帰と称す）時の板金３３の上下動の開始時間をタッチパネル付表字部２に表示されたボタンを操作することで固定スキャナ部４を移動するよう制御する方法である。実施例２（半自動）とは、固定スキャナ部４を手動で移動させるが、復帰時の板金３３の上下動の開始時間はＣＰＵ２１が制御する方法である。実施例３（全自動）とは、オペレータがタッチパネル付表示部２に表示されたボタンを押すことにより、ＣＰＵ２１が固定スキャナ部４の移動と復帰時の板金３３の上下動の開始時間を制御する方法である。以下、それぞれの実施例について説明する。
【００２７】
［実施例１］
まず、実施例１として、手動で固定スキャナ部４を移動する時の、ＣＰＵ２１による制御方法について説明する。ＣＰＵ２１が固定スキャナ部４を初期位置４１から退避位置４２へ移動するよう制御する処理の流れについて、図５のフローチャートを参照して説明する。ＣＰＵ２１は、入力部３の現計キーが押されると、計算したお釣りの金額から、自動釣銭釣札機７に釣銭釣札を払い出すための信号を出力し、自動釣銭釣札機７からの払出の結果を待つ。その際、自動釣銭釣札機７の内部で硬貨や紙幣が詰まるなどの不具合が発生していた場合、自動釣銭釣札機７からＣＰＵ２１にエラー信号（例えば、エラーステータス値１）が入力される（ステップＳ５１  ＹＥＳ）。ＣＰＵ２１は、自動釣銭釣札機７から入力されたエラー信号に基づいて、タッチパネル付表示部２に、「退避」ボタンを表示させる（ステップＳ５２）。なお、ＰＯＳレジスタがメンテナンスモードの時に、タッチパネル付表示部２に「退避」ボタンを表示させるようにしてもよい。これにより、オペレータへ固定スキャナ部４を移動操作しなければならないことを知らしめることができる。
【００２８】
「退避」ボタンが押された場合（ステップＳ５３  ＹＥＳ）、タッチパネル付表示部２は、退避ボタンが押されたという情報をＣＰＵ２１に出力する。ＣＰＵ２１は、当該情報が入力されると、電磁ソレノイド３２に電流を流し、電磁ソレノイド３２を引くことによって、電磁ソレノイド３２の可動芯に結合した板金３３を上昇させる（ステップＳ５４）。次に、ＣＰＵ２１は、タッチパネル付表示部２の「退避」ボタンを消去させる。その後、オペレータが固定スキャナ部４を手で押して、移動レール３４に沿って固定スキャナ部４を初期位置４１から退避位置４２へ移動させる。
【００２９】
なお、ステップＳ５１は、ＣＰＵ２１による自動釣銭釣札機７への問い合わせがなくても、自動釣銭釣札機７の内部で硬貨や紙幣が詰まるなどの不具合が発生した時点で、自動釣銭釣札機７がエラー信号をＣＰＵ２１に出力してもよい。
【００３０】
次に、ＣＰＵ２１が固定スキャナ部４を退避位置４２から前方の初期位置４１まで手動で移動（復帰）するよう制御する処理の流れについて、図６のフローチャートを参照して説明する。まず、自動釣銭釣札機７の不具合が解消した場合（ステップＳ６１  ＹＥＳ）、自動釣銭釣札機７は正常信号（例えば、エラーステータス値が０）をＣＰＵ２１に出力し、ＣＰＵ２１はタッチパネル付表示部２上に「復帰」ボタンを表示させる（ステップＳ６２）。次に、オペレータは、固定スキャナ部４を初期位置まで手動で移動させる（ステップＳ６３）。
【００３１】
次に、オペレータが「復帰」ボタンを押すと（ステップＳ６４  ＹＥＳ）、タッチパネル付表示部２は、ＣＰＵ２１に復帰ボタンが押されたという情報を出力する。ＣＰＵ２１は、入力された情報に基づいて、自動釣銭釣札機７に問い合わせ信号を出力する。問い合わせ信号が入力された自動釣銭釣札機７は、正常信号（例えば、エラーステータス値：０）をＣＰＵ２１に出力する。次に、自動釣銭釣札機７から入力された正常信号に基づいて、ＣＰＵ２１は、電磁ソレノイド３２に電流を流し、板金３３を下降させる（ステップＳ６５）。
【００３２】
［実施例２］
次に、固定スキャナ部４を手動で移動させるが、復帰時の板金３３の上下動の開始時間をＣＰＵ２１が制御するという実施例２について説明する。ＣＰＵ２１が固定スキャナ部４を初期位置４１から退避位置４２へ移動（退避）するよう制御する処理の流れについては、図５のステップＳ５１からステップＳ５５までの処理は実施例１（手動）と同じである。
【００３３】
次に、固定スキャナ部４を半手動で初期位置４１に復帰する処理の流れについて、図７のフローチャートを参照して説明する。まず、ステップＳ７１からステップＳ７３までの処理は、図６のステップＳ６１からステップＳ６３までの処理と同一である。次に、固定スキャナ部４が初期位置に存在することをフォトセンサ部２２が感受すると（ステップＳ７４  ＹＥＳ）、フォトセンサ部２２は、ＣＰＵ２１に固定スキャナ部４が初期位置に存在することを示す情報を出力する。フォトセンサ部２２から入力された当該情報に基づいて、ＣＰＵ２１は、自動釣銭釣札機７に問い合わせ信号を出力する。ＣＰＵ２１から入力された問い合わせ信号に基づいて、自動釣銭釣札機７は、正常信号（例えば、エラーステータス値が０）をＣＰＵ２１に出力する。次に、自動釣銭釣札機７から入力された正常信号に基づいて、ＣＰＵ２１は電磁ソレノイドに電流を流し、板金３３を下降させる（ステップＳ７５）。次に、ＣＰＵ２１は、タッチパネル付表示部２上に表示された「復帰」ボタンを消去する（ステップＳ７６）。
なお、本実施例では、固定スキャナ部４が退避位置、或いは、初期位置に存在することをフォトセンサ部２２からの出力値に基づき、ＣＰＵ２１が判定しているがこれに限らず、フォトセンサ部２２の代わりに接点スイッチを用いて、当該接点スイッチのＯＮ／ＯＦＦの信号に基づいて、ＣＰＵ２１が退避位置或いは初期位置に存在することを判定するようにしても良い。
【００３４】
［実施例３］
次に、実施例３として、ＣＰＵ２１が機械的に固定スキャナ部４を移動するよう制御する時の、ＣＰＵ２１による制御方法について説明する。ＣＰＵ２１が固定スキャナ部４を初期位置４１から退避位置４２へ移動（退避）するよう制御する処理の流れについて、図５を用いて説明する。ステップＳ５１からステップＳ５４までの処理は実施例１（手動）と同じである。
【００３５】
なお、前記固定スキャナ部４を機械的に移動させる構造（不図示）としては、下記に示すものでもよい。当該構造は、固定スキャナ部４の上面に上面より突出するアームと、当該のアーム先端に回動可能なピニオンギアと駆動モータとかなる駆動部と、スキャナ吊下台３１の移動レール３４に取付けられた前記ピニオンギアと噛合うラックギアとから構成されている。これによって、前記ラックギアと噛合う固定スキャナ部４に取り付けられたピニオンギアが駆動部の回動に伴い、固定スキャナ部４を退避位置４２へ移動させたり、或いは固定スキャナ部４を初期位置４１に移動させたりすることができる。
また、前記ラックギアとピニオンギアの構造に限らず、波状の平ベルトを駆動歯車へ巻回させ、固定スキャナ部４を退避位置４２等へ移動させるようにしても良い。
また、前記固定スキャナ部４が退避位置４２へ移動する最後端部には、接点スイッチが設けられており、この最後端部に設けられた接点スイッチが繋がる（ＯＮする）ことにより、固定スキャナ部４が退避位置４２に位置したことを示す信号を接点スイッチがＣＰＵ２１へ出力し、ＣＰＵ２１がこの信号を受け取ると、前記駆動部へ固定スキャナ部４の移動を停止させるよう指令する指令信号を出力する。
ステップＳ５５において、ＣＰＵ２１は、前記駆動部に固定スキャナ部４を移動させる指令信号を出力し、固定スキャナ部４を機械的に退避位置４２へ移動させる（ステップＳ５５）。固定スキャナ部４が退避位置４２へ移動完了後、前記最後端部に設けられた接点スイッチは、退避位置に移動したという情報をＣＰＵ２１に出力する。前記接点スイッチから入力された当該情報に基づき、ＣＰＵ２１は、タッチパネル付表示部２の「退避」ボタンを消去させる。
【００３６】
次に、ＣＰＵ２１が固定スキャナ部４を退避位置４２から初期位置４１へ移動（復帰）するよう制御する処理の流れについて、図８のフローチャートを参照して説明する。まず、ステップＳ８１からステップＳ８２までの処理は、図６のステップＳ６１からステップＳ６２までの処理と同一である。次に、オペレータが「復帰」ボタンを押すと（ステップＳ８３  ＹＥＳ）、タッチパネル付表示部２はＣＰＵ２１に復帰ボタンが押されたという情報を出力する。ＣＰＵ２１は、入力された情報に基づいて、自動釣銭釣札機７へ問い合わせ信号を出力し、自動釣銭釣札機７から受け取った信号が、自動釣銭釣札機７の内部で硬貨や紙幣が詰まるなどの不具合が解消した旨の信号（例えば、正常信号、エラーステータス値が０）である場合は、前記駆動部に固定スキャナ部４を初期位置に移動させるよう指令する指令信号を出力し、固定スキャナ部４を初期位置に移動させる（ステップＳ８４）。しかし、自動釣銭釣札機７の内部で硬貨や紙幣が詰まるなどの不具合が解消されていない（例えば、異常信号、エラーステータス値が１）の場合は、ＣＰＵ２１は、エラーが解消していない旨をタッチパネル付表示部２に出力する。この場合、前記固定スキャナ部４を初期位置に移動させない。
次に、固定スキャナ部４の初期位置への移動完了について説明する。前記フォトセンサ部２２は固定スキャナ部４が初期位置に存在するという情報をＣＰＵ２１に出力する。当該情報が入力されたＣＰＵ２１は、固定スキャナ部４が初期位置に移動（移動完了）したという判定を行う。
なお、上記の判定の処理は、下記に示す処理であってもよい。前記固定スキャナ部４が初期位置４１の最前端部には、接点スイッチが設けられていることとする。この最前端部に設けられた接点スイッチが繋がる（ＯＮする）ことにより、固定スキャナ部４が初期位置４１に位置したことを示す信号を接点スイッチがＣＰＵ２１へ出力する。当該信号が入力されたＣＰＵ２１は、固定スキャナ部４が初期位置４１に移動したという判定を行う。
【００３７】
次に、前記判定に基づいて、ＣＰＵ２１は電磁ソレノイド３２に電流を流し、板金３３を下降させる（ステップＳ８５）。
【００３８】
以上のように、板金３３が下降することによって、オペレータが会計操作あるいはスキャン操作時等に固定スキャナ部４に触れてしまった時でも、固定スキャナ部４が不用意に後方に動かなくすることができる。
【００３９】
本実施例では、電磁ソレノイド３２により板金３３が上下するものを示したが、これに限らず、伸縮や屈伸といった運動をするアクチュエータを用いて、固定スキャナ部４のストッパーとなるものを機械的機構、油空圧的機構またはばねの弾力などによって、上下させてもよい。
【００４０】
また、本実施例では、電磁ソレノイド３２により板金が上下するものを示したが、これに限らず、摩擦係数の高い素材からなるストッパー（例えば、ゴム板等）を固定スキャナ部４の両端より挟み込み移動しないように保持させ、移動させる時には、当該ストッパーを固定スキャナ部４より離間させる方式でもよい。また、本実施例では、自動釣銭釣札機７を例示したが、自動でなくてもよい。また、釣銭機で貨幣詰まり等の不具合が生じた場合に、オペレータの指示なしでスキャナ部の板金や摩擦係数の高い素材などのストッパーを解除するようにしてもよい。
【００４１】
以上、本発明の実施形態について図面を参照して詳述したが、具体的な構成はこの実施形態に限られるものではなく、この発明の要旨を逸脱しない範囲の設計等も含まれる。
【符号の説明】
【００４２】
１  タワー型ＰＯＳレジスタ
２  タッチパネル付表示部
３  入力部
４  固定スキャナ部
５  ウォンドスキャナ部
６  印字部
７  自動釣銭釣札機
７−１  硬貨出金口
７−２  硬貨入金口
７−３  紙幣入出金口
１５  カウンタ台
２１  ＣＰＵ
２２  フォトセンサ部
２３  ＲＯＭ
２４  ＲＡＭ
３１  スキャナ吊下台
３２  電磁ソレノイド
３３  板金
３４  移動レール
【図１】
0005521587.tif 000002
【図２】
0005521587.tif 000003
【図３】
0005521587.tif 000004
【図４】
0005521587.tif 000005
【図５】
0005521587.tif 000006
【図６】
0005521587.tif 000007
【図７】
0005521587.tif 000008
【図８】
0005521587.tif 000009